(57)【要約】      （修正有）【課題】回路基板に載置された電子機器が、はんだ付け装置での搬送中においても傾いたままはんだ付けされることのないシールドケースを提供する。【解決手段】回路基板２７に対し縦向きに配置され、はんだ固定される箱型のシールドケース２１において、シールドケース２１には複数の取付足部２４ａ〜２４ｄが設けられ、取付足部の内、少なくとも２つの取付足部２４ａ、２４ｂは他の取付足部２４ｃ、２４ｄの向きに対し非平行となる非平行取付足部である。【選択図】図１
2006135204.tif 000002
【特許請求の範囲】
【請求項１】
回路基板に対し縦向きに配置され、はんだ固定される箱型のシールドケースにおいて、該シールドケースには複数の取付足部が設けられ、該取付足部の内、少なくとも２つの該取付足部は他の該取付足部の向きに対し非平行となる非平行取付足部であることを特徴とするシールドケース。
【請求項２】
該非平行取付足部は、該取付足部が配置される長辺に平行な向きとされ、各長辺に対し夫々少なくとも１つの該非平行取付足部が配置されたことを特徴とする請求項１に記載のシールドケース。
【請求項３】
該非平行取付足部は、該取付足部が配置される長辺にも短辺にも非平行な向きとされ、各長辺に対し夫々少なくとも１つの該非平行取付足部が配置されたことを特徴とする請求項１に記載のシールドケース。
【請求項４】
該非平行取付足部は、対角位置に配置されたことを特徴とする請求項２又は３に記載のシールドケース。
【請求項５】
請求項１乃至請求項４の何れか１つに記載のシールドケースを備えていることを特徴とする電子機器。
【発明の詳細な説明】
【技術分野】
【０００１】
本発明は、回路基板にはんだ付け固定されるシールドケースおよびそのシールドケースを備えた電子機器に関する。
【背景技術】
【０００２】
例えば、図６に示されるように、テレビやラジオなどにはチューナなどの電子機器１が内蔵されており、この電子機器１は箱型のシールドケース２にて構成され、テレビやラジオの回路基板３に端子４や取付足部５を、はんだ６によるはんだ付けにより固定され取付けられている。
【０００３】
この電子機器１を回路基板３に取付けるときには、電子機器１を横向きに配置する場合と縦向きに配置する場合とがあるが、特に回路基板３に対し実装密度を高めるために電子機器１を縦向きに配置することが行われている。
【０００４】
この電子機器１を回路基板３にはんだ付けするには、まず他の回路部品（図示せず）と共に電子機器１の端子４と取付足部５を回路基板３の孔７に挿入して回路基板３に電子機器１を載置し、この状態の回路基板３をはんだ付け装置の搬送手段に装填し、はんだ付け装置内にて回路基板３の搬送とはんだ付け工程が行われることにより、電子機器１の回路基板３へのはんだ付けが完了する。
【０００５】
【特許文献１】実開昭６３−１９１７７１号公報
【発明の開示】
【発明が解決しようとする課題】
【０００６】
しかしながら、近年では回路基板３の実装密度を高めるために電子機器１の厚さが薄くなってきているが、この薄くなった電子機器１を回路基板３に載置し、はんだ付け装置の搬送手段に装填した場合、回路基板３の搬送されるときの振動によって、電子機器１が大きく傾くこととなり、そのまま電子機器１が傾いた状態ではんだ付けされてしまうことが起き易くなる。特にこのことは、電子機器１の重心が電子機器１内部の各種電子部品の配置などにより、上部になった場合に起き易くなる。
電子機器１にはテレビやラジオ本体に設けられたパネルの孔より外に突出されるアンテナ端子８が設けられているが、電子機器１が傾いて取付けられた場合には、アンテナ端子８とパネルの孔の位置がズレ、アンテナ端子８がパネルの孔に入らなくなることとなる。
これが起きないように、回路基板３に対し電子機器１が傾いたままはんだ付けされないよう、回路基板３を注意しながら扱う必要があり、作業効率が悪くなるという問題があった。
【０００７】
本発明は、上記問題に鑑みてなされたものであり、回路基板に載置された電子機器が、はんだ付け装置での搬送中においても傾きづらくなるシールドケースおよびそのシールドケースを備えた電子機器提供することにある。
【課題を解決するための手段】
【０００８】
本発明によれば、回路基板に対し縦向きに配置され、はんだ固定される箱型のシールドケースにおいて、該シールドケースには複数の取付足部が設けられ、該取付足部の内、少なくとも２つの該取付足部は他の該取付足部の向きに対し非平行となる非平行取付足部である。
【０００９】
この構成により、非平行取付足部によって回路基板の孔における接触面積が大きくなることにより、電子機器の傾きを抑制することができ、回路基板に対し電子機器が傾いた状態ではんだ付けされることを防止することができるものである。
請求項２記載の発明は、該非平行取付足部は、該取付足部が配置される長辺に平行な向きとされ、各長辺に対し夫々少なくとも１つの該非平行取付足部が配置されたことを特徴とする請求項１に記載のシールドケースを提供する。
請求項３記載の発明は、該非平行取付足部は、該取付足部が配置される長辺にも短辺にも非平行な向きとされ、各長辺に対し夫々少なくとも１つの該非平行取付足部が配置されたことを特徴とする請求項１に記載のシールドケースを提供する。
請求項４記載の発明は、該非平行取付足部は、対角位置に配置されたことを特徴とする請求項２又は３に記載のシールドケースを提供する。
請求項５記載の発明は、請求項１乃至請求項４の何れか１つに記載のシールドケースを備えていることを特徴とする電子機器を提供する。
【発明の効果】
【００１０】
本発明によれば、非平行取付足部により回路基板の孔における接触面積が大きくなることにより、電子機器の傾きを抑制することができ、回路基板に対し電子機器が傾いた状態ではんだ付けされることを防止することができるものである。
【発明を実施するための最良の形態】
【００１１】
以下、図面を参照して本発明の実施形態について詳細に説明する。図１は本発明になるシールドケース２１を示す図であり、（Ａ）は正面図、（Ｂ）は平面図、（Ｃ）は底面図、（Ｄ）は左側面図、（Ｅ）は右側面図である。図１（Ａ）〜（Ｅ）に示されるようチューナなどの電子機器２０はシールドケース２１の密閉された空間内部に各種電子部品が載置されたプリント基板（図示せず）を収納する構成となっている。
【００１２】
アンテナ入力コネクタ２２はシールドケース２１の左側面側に露出した状態で取付けられており、各種端子２３が底面側に露出した状態で取付けられている。シールドケース２１は、アンテナ入力コネクタ２２が取付けられる前板２１ａと、上板２１ｂ、下板２１ｃおよび背板２１ｄと、シールドケース２１の右側開口を閉塞するようにシールドケース２１の右側に装着される右カバー２１ｅと、同じく左側開口を閉塞するようにシールドケース２１の左側に装着される左カバー２１ｆとから構成されており、また内部は複数の仕切板（図示せず）にて仕切られている。
【００１３】
このシールドケース２１の組立て方法であるが、一体的に形成された上板２１ｂ、下板２１ｃ、背板２１ｄおよび仕切板に、別部材である前板２１ａを組付け、その後右カバー２１ｅと左カバー２１ｆを装着している。
【００１４】
前板２１ａと背板２１ｄには取付足部２４ａ〜２４ｄが設けられており、図２の（Ａ）、（Ｂ）に示すように各種端子２３と共に回路基板２７の孔２５に挿入され、はんだ２６によりはんだ付け固定される。
従来の電子機器１においては、前板および背板に形成される取付足部５は、前板面および背板面に水平になるように形成されていたが、本発明の実施形態における前板２１ａの取付足部２４ａ、２４ｂは前板面に対し垂直になるように形成され、背板２１ｄの取付足部２４ｃ、２４ｄは背板面に対し水平になるように形成されている。
本発明の実施形態では、前板２１ａの取付足部２４ａ、２４ｂが前板面に対し垂直になるように形成されているが、前板２１ａは、シールドケース２１の他の部分とは別部材であるため、加工がし易いという利点がある。
【００１５】
これにより、Ｘ方向に対し板厚のみであった取付足部２４ａ、２４ｂをＸ方向に対し面を向ける事となるため、非平行取付足部である取付足部２４ａ、２４ｂにより回路基板２７の孔２５における接触面積が大きくなることにより、電子機器２０の傾きを抑制することができ、回路基板２７に対し電子機器２０が傾いた状態ではんだ付けされることを防止することができるものである。
【００１６】
次に、本実施例の電子機器２０を回路基板２７にはんだ付けする工程について説明する。まず、他の回路部品と共に電子機器２０の端子２３と取付足部２４ａ〜２４ｄを回路基板２７の孔２５に挿入して回路基板２７に電子機器２０を載置し、この状態の回路基板２７をはんだ付け装置の搬送手段に装填した後、はんだ付け装置内へ回路基板２７の搬送が行われる。
このとき電子機器２０はＸ方向に揺られることとなるが、この揺れの方向に対し、取付足部２４ａ、２４ｂが面を向けている為に、回路基板２７の孔２５との接触面積が大きくなり、電子機器２０の傾きを抑制することができる。
【００１７】
その後回路基板は、はんだ付け装置のはんだ槽に送られ、回路基板２７に対し他の回路部品と共に電子機器２０の端子２３と取付足部２４ａ〜２４ｄがはんだ２６によりはんだ付け固定され、また更に搬送されてはんだ槽の外に排出される。このようにはんだ付け装置内にて回路基板２７の搬送とはんだ付けが行われることにより、電子機器２０の回路基板２７へのはんだ付けが完了する。
【００１８】
上述したように、電子機器２０を回路基板２７をはんだ付け装置の搬送手段に装填し、はんだ付け装置内にて回路基板２７の搬送とはんだ付けが行われても、取付足部２４ａ、２４ｂにより回路基板２７の孔２５における接触面積が大きくなることにより、電子機器２０の傾きを抑制することができ、回路基板２７に対し電子機器２０が傾いた状態ではんだ付けされることを防止することができるものである。
【００１９】
ここで、変形例について説明する。図３〜図５は、変形例の要部を示す底面図である。第１の変形例となる図３に示されるように取付足部２４は、左カバー２１ｆまたは右カバー２１ｅの側にある取付足部２４ｅ、２４ｆのみを前板面や背板面に対し垂直になるようにしても、第２の変形例となる図４に示すように対角位置に配置された２個の取付足部２４ｇ、２４ｈのみを前板面や背板面に対し垂直になるようにしても良い。
また取付足部の向きについても、第３の変形例となる図５に示す取付足部２４ｉ、２４ｊのように前板面や背板面に対し傾斜させても電子機器２０の傾きを抑制する効果が得られるものである。
【００２０】
尚、上記実施例では、チューナを一例にあげて説明したが、これに限らず、これ以外の電子機器にも適用できるのは勿論である。
【図面の簡単な説明】
【００２１】
【図１】本発明の一実施例の形態に係るシールドケースを示す説明図である。
【図２】本発明の一実施例の形態に係るシールドケースを回路基板に載置した図である。
【図３】本発明の第１の変形例の要部を示す図である。
【図４】本発明の第２の変形例の要部を示す図である。
【図５】本発明の第３の変形例の要部を示す図である。
【図６】従来のシールドケースを回路基板に載置した図である。
【符号の説明】
【００２２】
２０  電子機器
２１  シールドケース
２４  取付足部
２７  回路基板
【図１】
2006135204.tif 000003
【図２】
2006135204.tif 000004
【図３】
2006135204.tif 000005
【図４】
2006135204.tif 000006
【図５】
2006135204.tif 000007
【図６】
2006135204.tif 000008